(57)【要約】【課題】相手の位置を容易に把握することが可能な携帯移動機を提供する。【解決手段】通話先相対位置検出部１５は受信信号分離部１４からの通話先の位置情報と、位置情報取得部１６からの自端末の現在の位置情報とを対比させ、通話先相手と自端末との相対位置を割り出す。コンパス１９は自端末の現在位置での方位情報を送出する。通話先方向・距離算出部２０は通話先相対位置検出部１５からの通話先相手と自端末との相対位置と、コンパス１９からの情報とを基に通話先相手の居る方向及び距離を算出し、その算出結果を表示部２１に送出し、表示部２１に矢印等で示す方向情報と数値等で示す距離情報とを表示する。【選択図】　　　図１
2004040427.tif 000002
【特許請求の範囲】
【請求項１】
通話先との呼を無線を介して接続する携帯移動機であって、前記呼を接続している前記通話先の現在位置の情報を基に自端末と前記通話先との相対的な方向及び距離を算出する算出手段と、その算出された相対的な方向及び距離を表示する表示手段とを有することを特徴とする携帯移動機。
【請求項２】
自端末の方位情報を取得する方位取得手段を含み、
前記算出手段は、前記通話先の現在位置の情報と自端末の現在位置の情報と前記方位取得手段の情報とを基に自端末と前記通話先との相対的な方向及び距離を算出することを特徴とする請求項１記載の携帯移動機。
【請求項３】
前記通話先の現在位置の情報及び自端末の現在位置の情報のうちの少なくとも一方は、前記通話先がどの位置登録エリアに居るかという位置登録情報であることを特徴とする請求項２記載の携帯移動機。
【請求項４】
前記通話先の現在位置の情報及び自端末の現在位置の情報のうちの少なくとも一方は、ＧＰＳ（Ｇｌｏｂａｌ　Ｐｏｓｉｔｉｏｎｉｎｇ　Ｓｙｓｔｅｍ）による絶対位置であることを特徴とする請求項２記載の携帯移動機。
【請求項５】
前記方位取得手段は、自端末の筐体の長手方向と平行に取付けられたアンテナの先端及び末尾の指す方向を示すことを特徴とする請求項２から請求項４のいずれか記載の携帯移動機。
【請求項６】
前記表示手段は、自端末と前記通話先との相対的な方向及び距離を数値及び図形のうちの少なくとも一方で表示することを特徴とする請求項１から請求項５のいずれか記載の携帯移動機。
【請求項７】
移動機が通話先との呼を無線を介して接続する移動通信システムの位置情報通知方法であって、前記呼を接続している前記通話先の現在位置の情報を基に自端末と前記通話先との相対的な方向及び距離を算出するステップと、その算出された相対的な方向及び距離を表示手段に表示するステップとを前記移動機に有することを特徴とする位置情報通知方法。
【請求項８】
前記自端末と前記通話先との相対的な方向及び距離を算出するステップは、前記通話先の現在位置の情報と自端末の現在位置の情報と自端末の方位情報を取得する方位取得手段の情報とを基に前記自端末と前記通話先との相対的な方向及び距離を算出することを特徴とする請求項７記載の位置情報通知方法。
【請求項９】
前記通話先の現在位置の情報及び自端末の現在位置の情報のうちの少なくとも一方は、前記通話先がどの位置登録エリアに居るかという位置登録情報であることを特徴とする請求項８記載の位置情報通知方法。
【請求項１０】
前記通話先の現在位置の情報及び自端末の現在位置の情報のうちの少なくとも一方は、ＧＰＳ（Ｇｌｏｂａｌ　Ｐｏｓｉｔｉｏｎｉｎｇ　Ｓｙｓｔｅｍ）による絶対位置であることを特徴とする請求項８記載の位置情報通知方法。
【請求項１１】
前記方位取得手段は、自端末の筐体の長手方向と平行に取付けられたアンテナの先端及び末尾の指す方向を示すことを特徴とする請求項８から請求項１０のいずれか記載の位置情報通知方法。
【請求項１２】
前記自端末と前記通話先との相対的な方向及び距離を前記表示手段に数値及び図形のうちの少なくとも一方で表示することを特徴とする請求項７から請求項１１のいずれか記載の位置情報通知方法。
【発明の詳細な説明】
【０００１】
【発明の属する技術分野】
本発明は携帯移動機及びそれに用いる位置情報通知方法に関し、特に携帯電話端末等の携帯移動機における通話相手の位置の表示方法に関する。
【０００２】
【従来の技術】
近年、携帯電話端末等の携帯移動機においては、ＧＰＳ（Ｇｌｏｂａｌ　Ｐｏｓｉｔｉｏｎｉｎｇ　Ｓｙｓｔｅｍ）による位置情報の取得機能を搭載するものもあり、通話相手に位置情報を通知することで、相手先の地図に自端末の位置を表示するものがある。
【０００３】
この場合、地図情報はデータ容量が大きいことから、特開平８−２１２４９７号公報に開示された技術では、地図情報を携帯移動機に搭載せず、固定局から送信している。この公報記載の技術では自端末の位置と通話相手の電話番号とを固定局に送ることで、固定局で地図上に自端末及び通話相手の位置を記したデータを作成して端末に送信することで、端末において地図上に自端末及び通話相手が表示されたデータを見ることができる。
【０００４】
【発明が解決しようとする課題】
上述した従来の携帯移動機では、通話相手に位置情報を通知することで、相手先の地図に自端末の位置を表示したり、固定局で地図上に自端末及び通話相手の位置を記したデータを作成して端末に送信したり、自端末の位置の地図情報を通話先に通知している。
【０００５】
そのため、従来の携帯移動機では、地図の示す地域について、目標となる建造物や目印等がなく、またその地域について予備知識がない場合に相手の位置が把握しにくいという問題がある。
【０００６】
また、従来の携帯移動機では、地図情報を表示する際に、相手との相対位置を表示させようとした場合、地図情報を用いると、特に距離が離れていると、非常に詳細な表示をしなければならず、仮に表示可能なディスプレイを有していた場合でも、地区名称等が細かすぎて読めない状態が考えられる。
【０００７】
そこで、本発明の目的は上記の問題点を解消し、相手の位置を容易に把握することができる携帯移動機及びそれに用いる位置情報通知方法を提供することにある。
【０００８】
【課題を解決するための手段】
本発明による携帯移動機は、通話先との呼を無線を介して接続する携帯移動機であって、前記呼を接続している前記通話先の現在位置の情報を基に自端末と前記通話先との相対的な方向及び距離を算出する算出手段と、その算出された相対的な方向及び距離を表示する表示手段とを備えている。
【０００９】
本発明による位置情報通知方法は、移動機が通話先との呼を無線を介して接続する移動通信システムの位置情報通知方法であって、前記呼を接続している前記通話先の現在位置の情報を基に自端末と前記通話先との相対的な方向及び距離を算出するステップと、その算出された相対的な方向及び距離を表示手段に表示するステップとを前記移動機に備えている。
【００１０】
すなわち、本発明の携帯移動機は、移動通信システムにおいて、呼を接続している携帯移動機（ＵＥ：Ｕｓｅｒ　Ｅｑｕｉｐｍｅｎｔ）に対し、通信相手の居る方向及び距離をディスプレイ上に表示することで、道案内を行う方法を提供するものである。
【００１１】
より具体的に説明すると、本発明の携帯移動機では、サービスを受ける者が携帯移動機（以下、自端末とする）を用いて、他の携帯移動機（以下、他端末とする）に対して呼の接続を行う。他端末の位置情報はその他端末が接続する第２のコアネットワーク（ＣＮ：Ｃｏｒｅ　Ｎｅｔｗｏｒｋ）から、自端末の接続する第１のコアネットワークを経由して自端末に伝えられる。
【００１２】
位置情報を受け取った自端末では、第１のコアネットワークから受信した自端末の位置情報及び自端末に内蔵されているコンパス（地磁気センサ）の情報とを用いてた端末の方向及び距離を算出する。この場合、アンテナが自端末の筐体の長手方向と平行に取付けられていれば、コンパスの情報がアンテナの先端または末尾の方向を示すこととなる。
【００１３】
自端末では算出された他端末の方向及び距離を、ディスプレイ上に矢印及び距離情報として表示するので、他端末を使用する通信相手の相対位置を容易に把握することが可能となる。
【００１４】
これによって、本発明の携帯移動機では、通話している相手のいる場所に行きたい時、周りに目印として有効なものがない場合においても、地図情報等とは違い、相手の居るおおよその位置を把握することが可能となる。この場合、目印があっても、サービスを受ける者が目印を認知していなければ、単に相手の居る方向及び距離を示した方が分かり易い場合も多々ある。
【００１５】
また、本発明の携帯移動機では、ディスプレイ上に表示するデータが地図情報等の複雑かつ詳細なものではなく、方向を示す単純な図形でよいため、ディスプレイの解像度に依存しない。特に、距離の離れた双方の現在地を同時に地図上に表示しようとした場合には顕著である。また、大容量のデータ（地図情報等のグラフィックデータ）を受信する必要がない。
【００１６】
さらに、本発明の携帯移動機では、Ｗ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）方式を用いる場合、基地局のセルが小さいことから、より高精度の位置検出が可能になる。よって、このような位置情報通知サービスはより一層利便性が増し、応用範囲が拡大すると考えられる。
【００１７】
【発明の実施の形態】
次に、本発明の実施例について図面を参照して説明する。図１は本発明の一実施例による移動機の構成を示すブロック図である。図１において、移動機１はアンテナ１１と、共用器１２と、受信部１３と、受信信号分離部１４と、通話先相対位置検出部１５と、位置情報取得部１６と、送信信号合成部１７と、送信部１８と、コンパス　（地磁気センサ）１９と、通話先方向・距離算出部２０と、表示部２１とから構成されている。
【００１８】
受信部１３はアンテナ１１と共用器１２とを介して入力される信号を受信すると、その信号を受信信号分離部１４に渡す。受信信号分離部１４は受信部１３からの信号を受取ると、その信号をデータ及び制御情報と通話先の位置情報とに分離し、データ及び制御情報を内部回路（図示せず）に送出し、通話先の位置情報を通話先相対位置検出部１５に送出する。
【００１９】
位置情報取得部１６はＧＰＳ（Ｇｌｏｂａｌ　Ｐｏｓｉｔｉｏｎｉｎｇ　Ｓｙｓｔｅｍ）による絶対位置（緯度、経度等）の取得、または自端末がどの位置登録エリアに居るかという位置登録情報を取得し、その位置情報を通話先相対位置検出部１５及び送信信号合成部１７に送出する。但し、位置情報取得部１６はＧＰＳによる絶対位置の取得する時にのみ、位置情報を送信信号合成部１７に送出し、自端末がどの位置登録エリアに居るかという位置登録情報を取得する時には位置情報の送信信号合成部１７への送出は行わない。
【００２０】
送信信号合成部１７は位置情報が送られてくれば、位置情報と内部回路からのデータ及び制御情報とを合成して送信部１８に送出し、位置情報が送られてこなければ、内部回路からのデータ及び制御情報を合成して送信部１８に送出する。送信部１８は送信信号合成部１７で合成された信号を共用器１２とアンテナ１１とを介して送信する。
【００２１】
通話先相対位置検出部１５は受信信号分離部１４からの通話先の位置情報と、位置情報取得部１６からの自端末の現在の位置情報とを対比させ、通話先相手と自端末との相対位置を割り出し、その通話先相手と自端末との相対位置を通話先方向・距離算出部２０に送出する。
【００２２】
コンパス１９は自端末の現在位置での方位情報、つまりアンテナ１１が自端末の筐体の長手方向と平行に取付けられていれば、アンテナ１１の先端または末尾の方向を示す方位情報を通話先方向・距離算出部２０を送出する。
【００２３】
通話先方向・距離算出部２０は通話先相対位置検出部１５からの通話先相手と自端末との相対位置と、コンパス１９からの情報とを基に通話先相手の居る方向及び距離を算出し、その算出結果を表示部２１に送出し、表示部２１に矢印等で示す方向情報と数値等で示す距離情報とを表示する。
【００２４】
図２は本発明の一実施例による携帯移動機での位置情報の表示例を示す図である。図２において、携帯移動機１の筐体２２に設けられた表示部（ディスプレイ）２１には通話先相手の居る方向を示す矢印２１ａと、数値で示す距離情報２１ｂとが表示されている。
【００２５】
この場合、コンパス１９からの方位情報はアンテナ１１が自端末の筐体２２の長手方向と平行に取付けられているので、アンテナ１１の先端の方向を示し、矢印２１ａはその方位情報に基づいた通話先相手の居る方向である。ここで、図２では相手の居る方向及び距離を矢印２１ａ及び距離情報２１ｂで示しているが、矢印２１ａの長さで距離を表しても、また何らかのアイコンの向きで方向を表して、相手の居る方向及び距離をともに数値で表してもよく、その表示形態に制限はない。
【００２６】
図３は本発明の一実施例による移動通信システムの構成を示すブロック図である。図３において、本発明の一実施例による移動通信システムは移動機（ＵＥ：Ｕｓｅｒ　Ｅｑｕｉｐｍｅｎｔ）１と、相手移動機２と、これらを相互に接続するＲＡＮ（Ｒａｄｉｏ　Ａｃｃｅｓｓ　Ｎｅｔｗｏｒｋ）３，４と、コアネットワーク（ＣＮ：Ｃｏｒｅ　Ｎｅｔｗｏｒｋ）５，６と、固定網／移動通信網１００とから構成されており、ＲＡＮ３，４にはＢＳ（Ｂａｓｅ　Ｓｔａｔｉｏｎ）３１，４１と、ＲＮＣ（Ｒａｄｉｏ　Ｎｅｔｗｏｒｋ　Ｃｏｎｔｒｏｌｌｅｒ）３２，４２とを含んでいる。
【００２７】
移動機１と接続しようとする相手移動機２とは、それぞれ図１に示す構成をとり、位置通知サービス機能を有する携帯電話である。移動機１，２はどの位置登録エリアに居るかという位置登録情報を移動制御等を行うコアネットワーク５，６内の位置登録情報データベース５１，６１上に記録している。
【００２８】
移動機１は呼が接続されている相手移動機２の位置登録情報を受信する機能（通話先相対位置検出部１５）を有している。位置情報は、例えば、緯度及び経度等の絶対位置を示す情報でかまわない。
【００２９】
図４は図１の携帯移動機１の動作を示すフローチャートである。これら図１〜図４を参照して本発明の一実施例による移動通信システムの動作について説明する。
【００３０】
移動機１が相手移動機２に対して呼を接続すると、接続された移動機２は位置登録情報をＲＡＮ４を通してコアネットワーク６に通知する。コアネットワーク６は固定網／移動通信網１００とコアネットワーク５とＲＡＮ３とを通して、呼を接続している移動機１に移動機２の現在位置を通知する。
【００３１】
移動機１は移動機２の現在位置の通知を受けると（図４ステップＳ１）、通話先相対位置検出部１５でその位置情報と自端末の現在いる場所の位置情報とを対比し（図４ステップＳ２）、通話先相手と自端末との相対位置を割り出す（図４ステップＳ３）。
【００３２】
その後に、移動機１は通話先方向・距離算出部２０で通話先相対位置検出部１５からの通話先相手と自端末との相対位置と、コンパス１９からの情報とを基に通話先相手の居る方向及び距離を算出する（図４ステップＳ４）。
【００３３】
移動機１は算出された通話先相手の居る方向及び距離を基に、ディスプレイ２１上に、例えば図２に示すように、矢印２１ａ等で相手の居る方向及び距離を表示する　（図４ステップＳ５）。
【００３４】
それぞれの移動機１，２の位置情報は一定時間、またはセルの移動等によって、あるいは移動機１の使用者が向きを変えることで、適宜更新されるので（図４ステップＳ５）、それに伴ってディスプレイ２１上の表示も更新される（図４ステップＳ５）。上記の処理動作は移動機１での位置情報の表示が終了するまで繰り返し行われる（図４ステップＳ６〜８）。
【００３５】
このように、本実施例では、通話している相手のいる場所に行きたい時に周りに目印として有効なものがない場合においても、地図情報等とは違い、相手の居るおおよその位置を把握することができる。この場合、目印があっても、サービスを受ける者が目印を認知していなければ、単に相手の居る方向及び距離を示した方が分かり易い場合も多々ある。
【００３６】
また、本実施例では、ディスプレイ２１上に表示するデータが地図情報等の複雑かつ詳細なものではなく、方向を示す単純な図形でよいため、ディスプレイ２１の解像度に依存しない。特に、距離の離れた双方の現在地を同時に地図上に表示しようとした場合には顕著である。その際、大容量のデータ（地図情報等のグラフィックデータ）を受信する必要もない。
【００３７】
さらに、本実施例では、Ｗ−ＣＤＭＡ（Ｗｉｄｅｂａｎｄ−Ｃｏｄｅ　Ｄｉｖｉｓｉｏｎ　Ｍｕｌｔｉｐｌｅ　Ａｃｃｅｓｓ）方式を用いる場合、基地局のセルが小さいことから、より高精度の位置検出が可能になる。よって、このような位置情報通知サービスはより一層利便性が増し、応用範囲が拡大すると考えられる。
【００３８】
尚、本実施例では通話者双方が移動機１，２を用いている場合について述べたが、通話先が固定電話であっても構わない。この場合、固定電話の設置してある位置情報を移動機１に通知する手段が別途必要になる。
【００３９】
移動機１が他の移動機に接続されていない状態であっても、目的地の住所、緯度・経度等を入力することによって、ネットワークから目的地の情報及び自端末の位置情報を受取ることができれば、図２に示すように、ディスプレイ２１上に方向、距離等を示すことも可能である。
【００４０】
【発明の効果】
以上説明したように本発明は、移動機が通話先との呼を無線を介して接続する移動通信システムにおいて、移動機が、呼を接続している通話先の現在位置の情報を基に自端末と通話先との相対的な方向及び距離を算出し、その算出された相対的な方向及び距離を表示手段に表示することによって、相手の位置を容易に把握することができるという効果が得られる。
【図面の簡単な説明】
【図１】本発明の一実施例による移動機の構成を示すブロック図である。
【図２】本発明の一実施例による携帯移動機での位置情報の表示例を示す図である。
【図３】本発明の一実施例による移動通信システムの構成を示すブロック図である。
【図４】図１の携帯移動機の動作を示すフローチャートである。
【符号の説明】
１　移動機
２　相手移動機
３，４　ＲＡＮ
５，６　コアネットワーク
１１　アンテナ
１２　共用器
１３　受信部
１４　受信信号分離部
１５　通話先相対位置検出部
１６　位置情報取得部
１７　送信信号合成部
１８　送信部
１９　コンパス（地磁気センサ）
２０　通話先方向・距離算出部
２１　表示部（ディスプレイ）
２１ａ　矢印
２１ｂ　距離情報
２２　筐体
３１，４１　ＢＳ
３２，４２　ＲＮＣ
５１，６１　位置登録情報データベース
１００　固定網／移動通信網
【図１】
2004040427.tif 000003
【図２】
2004040427.tif 000004
【図３】
2004040427.tif 000005
【図４】
2004040427.tif 000006